(57)【要約】【課題】電気部品の配線を遊技盤裏側に取り回す際に、遊技者側から配線が視認されることを抑制し得ると共に、配線処理が容易な遊技機を提供する。【解決手段】透明板１２に、球通過検出スイッチ４０が配設される。透明板１２の裏側に配設した裏セット盤１４に、側部装飾部材６２と側部基板部材６４が前後に重なって配設される。球通過検出スイッチ４０の裏側に臨む側部装飾部材６２に貫通路７０が前後方向に貫通して形成される。側部基板部材６４には、貫通路７０と前後に整合する位置に挿通路６４ａが前後方向に形成される。球通過検出スイッチ４０から裏側に延出する配線４０ａは、貫通路７０および挿通路６４ａを介して裏セット盤１４の裏側に引出される。貫通路７０および挿通路６４ａは、前面側から裏面側に向かうにつれて経路が小さくなるテーパー形状に形成される。【選択図】図７
2010017358.tif 000002
【特許請求の範囲】
【請求項１】
前側に遊技領域が設けられる透明板と、該透明板の裏側に取り付けられた裏セット盤とを有する遊技盤を備え、前記透明板における遊技領域に電気部品が配設された遊技機において、
前記裏セット盤に配設されて前記電気部品の裏側に臨み、前記透明板を介して前側から視認可能な半透明または不透明な装飾部材と、
前記装飾部材における前記透明板に配設された不透明な部品で隠れる位置に形成されて前後方向に貫通し、前記電気部品から裏側に延出する配線が挿通される貫通路とを備え、
前記貫通路は、装飾部材の裏面側に向けて経路が小さくなるテーパー形状に形成される
ことを特徴とする遊技機。
【請求項２】
前記装飾部材は装飾演出を行なうよう構成されると共に、前記装飾部材の裏側には、該装飾部材の装飾演出を制御する基板および基板カバーからなる基板部材が設けられ、この基板部材には、前記貫通路と連通して前記配線が挿通可能な挿通路が前面から裏面までに亘り形成されており、該挿通路は、基板部材の裏面側に向けて経路が小さくなるテーパー形状に形成される請求項１記載の遊技機。
【請求項３】
前記貫通路の裏面側の開口縁は、前記基板部材の挿通路における前面側の開口縁と整合するかまたは内側に位置するよう設定される請求項２記載の遊技機。
【発明の詳細な説明】
【技術分野】
【０００１】
この発明は、透明板の前面側に設けられた遊技領域に電気部品が配設される遊技盤を備える遊技機に関するものである。
【背景技術】
【０００２】
例えば遊技機の代表例の一つであるパチンコ機では、機内にセットされる遊技盤に形成された可視表示部に、機裏側に配設した液晶表示装置の表示部を臨ませ、この表示部で図柄組み合わせゲームやリーチ演出等の主たる遊技演出を表示するようになっている。またパチンコ機には、液晶表示装置の他に、始動入賞装置、電動式入賞装置、スピーカ、その他発光装置等の各種電気部品が配設されており、液晶表示装置や電気部品を作動させることで、所要のパチンコゲームが展開されると共に該パチンコゲームに合わせて効果音や装飾光を現出させるようになっている。
【０００３】
近年のパチンコ機は、演出の多様化やインパクトを高め、遊技の面白みを増大させることを目的として、遊技盤を合成樹脂製の透明板とこの透明板の裏側に取り付けた裏セット盤で形成した、所謂「透明遊技盤」が採用されている。しかしながら、透明遊技盤の透明板に、前記した各種の電気部品を配設した場合、該電気部品から導出する配線を、裏セット盤の裏面に配設された制御基板等に接続する必要があるため、透明板の裏面側を取り回された配線が、透明板を介して遊技者側(前側)から視認される欠点が指摘される。
【０００４】
そこで、非遊技領域を形成する遮光性を有する合成樹脂からなる周辺飾り構造体と、遊技領域を形成する光透過性を有する合成樹脂からなる板状構造体とを組み合わせた遊技盤において、板状構造体に設けられた電気部品の裏側に接続された配線を、周辺飾り構造体に設けられた配線通路に挿入することで、配線が遊技盤の前側から見えないようにしたものが提案されている(例えば、特許文献１参照)。
【特許文献１】特開２００５−１９８９５５号公報
【発明の開示】
【発明が解決しようとする課題】
【０００５】
特許文献１に開示のパチンコ機では、板状構造体(透明板)の遊技領域に配設した電気部品が、周辺飾り構造体に近接していれば、電気部品の配線を周辺飾り構造体の配線通路に挿入するまでに板状構造体の裏側を取り回される配線は短かいため、配線が遊技盤の前側から見える量を抑えることはできる。しかるに、電気部品が周辺飾り構造体から離間した位置の遊技領域に配設されている場合は、板状構造体の裏側を周辺飾り構造体まで取り回される配線は長くなり、当該部分では配線を隠すことができない問題がある。
【０００６】
また、電気部品の配線が挿入される配線通路には、該配線を容易に挿入させるための工夫は何ら施されておらず、配線処理が煩雑となる難点が指摘される。
【０００７】
すなわち本発明は、従来の技術に係る遊技機に内在する前記課題に鑑み、これを好適に解決するべく提案されたものであって、電気部品の配線を遊技盤裏側に取り回す際に、遊技者側から配線が視認されることを抑制し得ると共に、配線処理が容易な遊技機を提供することを目的とする。
【課題を解決するための手段】
【０００８】
前記課題を克服し、所期の目的を達成するため、本願の請求項１に係る発明は、
前側に遊技領域(12a)が設けられる透明板(12)と、該透明板(12)の裏側に取り付けられた裏セット盤(14)とを有する遊技盤(10)を備え、前記透明板(12)における遊技領域(12a)に電気部品(40)が配設された遊技機において、
前記裏セット盤(14)に配設されて前記電気部品(40)の裏側に臨み、前記透明板(12)を介して前側から視認可能な半透明または不透明な装飾部材(62)と、
前記装飾部材(62)における前記透明板(12)に配設された不透明な部品(40)で隠れる位置に形成されて前後方向に貫通し、前記電気部品(40)から裏側に延出する配線(40a)が挿通される貫通路(70)とを備え、
前記貫通路(70)は、装飾部材(62)の裏面側に向けて経路が小さくなるテーパー形状に形成されることを特徴とする。
【０００９】
請求項１の発明によれば、電気部品の裏側に臨む装飾部材に、透明板に配設された不透明な部品で隠れる貫通路を形成し、該貫通路に電気部品の配線を挿通することで、透明板の裏側を取り回される配線を隠すことができ、遊技者側から配線が視認されることを抑制し得る。また、貫通路をテーパー形状とすることで、該貫通路への配線の挿入作業が容易で、かつ貫通路から裏側へ通出する配線の位置は略一定となり、該配線の遊技盤裏側での取り回しが容易となる。更に、貫通路自体も不透明な部品で隠れるから、意匠性を低下させることもない。
【００１０】
請求項２に係る発明では、前記装飾部材(62)は装飾演出を行なうよう構成されると共に、前記装飾部材(62)の裏側には、該装飾部材(62)の装飾演出を制御する基板(74)および基板カバー(76)からなる基板部材(64)が設けられ、この基板部材(64)には、前記貫通路(70)と連通して前記配線(40a)が挿通可能な挿通路(64a)が前面から裏面までに亘り形成されており、該挿通路(64a)は、基板部材(64)の裏面側に向けて経路が小さくなるテーパー形状に形成されることを要旨とする。
請求項２の発明によれば、装飾部材の裏側に配設されて該装飾部材を制御する基板部材も、貫通路が不透明な部品で隠れているから遊技者側から視認され難くなる。また、基板部材に形成した挿通路をテーパー形状とすることで、前記貫通路から挿通路に挿入されて裏側へ通出する配線の位置は略一定となり、該配線の遊技盤裏側での取り回しが容易となる。
【００１１】
請求項３に係る発明では、前記貫通路(70)の裏面側の開口縁は、前記基板部材(64)の挿通路(64a)における前面側の開口縁と整合するかまたは内側に位置するよう設定されることを要旨とする。
請求項３の発明によれば、貫通路の裏面側の開口縁を、挿通路における前面側の開口縁と整合するかまたは内側に位置するよう設定することで、貫通路から挿通路への配線の挿入をスムーズに行なうことができ、配線処理が容易になる。
【発明の効果】
【００１２】
本発明に係る遊技機によれば、電気部品の配線が遊技者側から視認されるのを抑制し得ると共に、配線処理が容易となる。
【発明を実施するための最良の形態】
【００１３】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機の遊技盤１０を前側(遊技者側)から見た状態で指称する。
【実施例】
【００１４】
実施例に係るパチンコ機の遊技盤１０は、図１に示すように、略正方形に形成されたアクリルやポリカーボネート等の光透過性の合成樹脂材からなる平板状の透明板１２と、該透明板１２の裏面に組み付けられる不透明な材料で形成された裏セット盤１４とから構成される。裏セット盤１４の裏側に対して、各種図柄を変動表示可能な液晶表示装置(図示せず)が着脱自在に取り付けられるよう構成されると共に、裏セット盤１４に形成された前後に開口する可視表示部４４ａを介して液晶表示装置の表示面を前面側から視認し得るようになっている。
【００１５】
(透明板について)
図１に示すように、前記透明板１２の前面には、内レール１６と外レール１８が半円弧状に配設されて、両レール１６,１８によりパチンコ球が流下可能な遊技領域１２ａが透明板前面に画成され、図示しない打球発射装置から発射されたパチンコ球が遊技領域１２ａ内に打ち出されるようになっている。なお、内レール１６は、透明板１２の左側の上部に開放端を臨ませるよう構成され、打球発射装置から発射されたパチンコ球は、透明板１２の下側から左側に両レール１６,１８で案内され、内レール１６の開放端から遊技領域１２ａの上部に打ち出される。
【００１６】
前記透明板１２の前面には、前記液晶表示装置において主に図柄変動ゲームが展開される領域を囲むセンター役物２０が配設されている。このセンター役物２０の上縁部には、円弧状の庇部２０ａが形成され、前記遊技領域１２ａに打ち出されたパチンコ球が液晶表示装置における図柄変動ゲームが展開される領域を横切って流下するのを該庇部２０ａで規制するよう構成される。また透明板１２の前面には、前記センター役物２０の配設位置より下方位置に、図１に示す如く、前記遊技領域１２ａを流下するパチンコ球が入賞可能な始動入賞装置２２や特別入賞装置２４が配設されており、該始動入賞装置２２にパチンコ球が入賞することで、前記液晶表示装置において図柄変動ゲームが展開され、該図柄変動ゲームの結果、液晶表示装置に所定の図柄組合わせで図柄が停止表示されると、前記特別入賞装置２４の入賞口が開放して所謂大当りが発生し、多数の賞球を獲得し得るよう構成されている。なお、前記始動入賞装置２２は、開閉可能な一対の羽根部材２２ａ,２２ａを備え、該羽根部材２２ａ,２２ａの開放により始動入賞装置２２へパチンコ球が入賞し易くなるようになっている。
【００１７】
前記透明板１２の下方位置の前面には、前記特別入賞装置２４を挟む左右両側に、電飾装置２６および普通入賞具２８が夫々配設されている。各電飾装置２６は、不透明な材料で形成された装飾部品２６ａと、該装飾部品２６ａの裏側に配設された基板(図示せず)から構成され、該基板に実装した複数のＬＥＤ３０を、装飾部品２６ａに形成した対応する通孔を介して夫々前側に臨ませている。基板は、裏側から導出する図示しない配線を介して制御装置(図示せず)に電気的に接続され、該制御装置からの制御信号に基づいてＬＥＤ３０を発光演出するよう構成される。なお、図１に示す如く、前記透明板１２の遊技領域１２ａには、前記センター役物２０の外側位置に多数の遊技釘３２が植設される。
【００１８】
前記透明板１２において外レール１８の外側の領域には、当該領域を前面から覆う透視不能な合成樹脂材から形成されたコーナー飾り３４が夫々設けられている。各コーナー飾り３４は、図１に示すように、前記遊技領域１２ａに臨む内周面が前記外レール１８に沿って湾曲形成されている。すなわち、実施例の遊技盤１０は、コーナー飾り３４が配設されている部分を除く略全ての領域において、前記透明板１２を介して裏側が視認し得るよう構成されている。
【００１９】
(センター役物について)
前記センター役物２０は、略全体が透明な材料を材質として、図１に示す如く、左右方向の中央を上下に通る中央線を挟んで左右対称の形状に形成される。このセンター役物２０には、前記庇部２０ａの下側に大型の上部装飾体３６が配設され、該上部装飾体３６は、前記裏セット盤１４に配設された発光装置３８によって裏側から照明されるようになっている。またセンター役物２０の左右両側には、遊技領域１２ａを流下するパチンコ球が通過可能な透明なゲート部２０ｂ,２０ｂが左右対称に形成されている。図１において左側のゲート部２０ｂには、該ゲート部２０ｂを通過するパチンコ球を検出可能な球通過検出スイッチ(電気部品)４０が配設されている。この球通過検出スイッチ４０の後部は、図７に示す如く、前記透明板１２におけるゲート部２０ｂの配設位置に対応する部位に形成されて前後に貫通する通孔１２ｂを介して透明板１２の裏側に臨むよう構成される。そして、該透明板１２の後端から裏側に延出する配線４０ａが、後述する側部装飾部材６２の貫通路７０および側部基板部材６４の挿通路６４ａを介して遊技盤裏面に引出され、後述する中継基板５６を介して制御装置に電気的に接続されるようになっている。そして、制御装置は、ゲート部２０ｂを通過するパチンコ球を球通過検出スイッチ４０が検出したことを条件として、前記始動入賞装置２２の羽根部材２２ａ,２２ａを開放するか否かの抽選を行なうよう設定されている。
【００２０】
前記各ゲート部２０ｂの前面には、不透明で所要のデザインが描かれた装飾シール４２が夫々貼着され、左側のゲート部２０ｂにおいては、該装飾シール４２によって球通過検出スイッチ４０が前側(遊技者側)から視認され難いようにしてある。なお、右側のゲート部２０ｂには球通過検出スイッチ４０は配設されていないが、必要に応じて球通過検出スイッチ４０を配設してもよい。
【００２１】
(裏セット盤について)
前記裏セット盤１４は、透視不能な合成樹脂材(例えばＡＢＳ樹脂)から、外郭形状が前記透明板１２と略整合する大きさおよび形状に形成された枠状本体４４を有し、該枠状本体４４の略中央位置に前記可視表示部４４ａが開設されている(図３参照)。前記可視表示部４４ａは矩形状に開口しており、枠状本体４４について、図２において可視表示部４４ａより上側の部位を上枠部４６と指称し、該可視表示部４４ａより下側の部位を下枠部４８と指称し、可視表示部４４ａより左側の部位を左枠部５０と指称し、可視表示部４４ａより右側の部位を右枠部５２と指称するものとする。
【００２２】
前記枠状本体４４の上枠部４６には、上端縁から前方に延出する上壁４６ａが形成されると共に、下枠部４８には、下端縁から前方に延出する下壁４８ａが形成されている。また枠状本体４４の左枠部５０には、左端縁から前方に延出する左側壁５０ａが形成されると共に、右枠部５２には、右端縁から前方に延出する右側壁５２ａが形成されており、前記裏セット盤１４は、全体として前方に開放する箱状に形成される。そして、前記透明板１２は、裏セット盤１４の上下および左右の壁４６ａ,４８ａ,５０ａ,５２ａの前端に裏面を当接した状態で配設されて、該透明板１２の裏面と裏セット盤１４における各枠部４６,４８,５０,５２との間に所定寸法の隙間が画成されるよう構成してある(図７参照)。
【００２３】
前記裏セット盤１４の左枠部５０には、図５に示す如く、後述する側部基板部材６４の挿通路６４ａと対応する位置に、前後に開口する通孔部５４が開設され、挿通路６４ａから通出された前記球通過検出スイッチ４０の配線４０ａおよびコネクタ４０ｂは、該通孔部５４に挿通されて裏セット盤１４の裏側に引出されるよう構成される。また図３に示す如く、裏セット盤１４における下枠部４８の裏面に、制御装置に接続する中継基板５６が配設される基板設置部５８が設けられると共に、左枠部５０の裏面における前記通孔部５４から基板設置部５８までの間に、複数の配線ホルダ６０が形成されている。そして、通孔部５４から通出された配線４０ａは、複数の配線ホルダ６０に掛止しつつ基板設置部５８まで取り回されて、前記中継基板５６にコネクタ４０ｂを介して接続されるようになっている。なお、裏セット盤１４の右枠部５２にも、同様に通孔部５４および配線ホルダ６０が形成されている。
【００２４】
前記裏セット盤１４の左枠部５０および右枠部５２には、前記透明板１２との間に側部装飾部材(装飾部材)６２と側部基板部材(基板部材)６４とが前後に重なる状態で夫々配設されている。なお、左枠部５０に配設される側部装飾部材６２および側部基板部材６４と、右枠部５２に配設される側部装飾部材６２および側部基板部材６４は左右対称であるので、左枠部５０に配設される側部装飾部材６２および側部基板部材６４について詳細に説明し、右枠部５２に配設される側部装飾部材６２および側部基板部材６４については同一部材に同じ符号を付して説明は省略する。
【００２５】
(側部装飾部材について)
前記側部装飾部材６２は、図２に示す如く、前記左枠部５０の上下方向の略全長に亘って延在する部材であって、前記透明板１２の裏面に臨む前面部６２ａが、図７に示すように、前記左側壁５０ａから可視表示部４４ａ(図７の右側)に向かうにつれて前方に膨出する弧状に形成されている。また、側部装飾部材６２は裏面側が略全面的に開放して、前記側部基板部材６４の前面に、該側部基板部材６４を覆うように配設される。側部装飾部材６２は、光透過性を有する半透明な材料から形成されると共に、前面部６２ａには各種の色彩によって模様が施されて、裏側の側部基板部材６４が透かして見え難くしてある。すなわち、遊技盤１０の前面側からは、前記透明板１２を介して側部装飾部材６２のみが視認し得るよう構成される。但し、側部装飾部材６２は光透過性を有しており、前記側部基板部材６４の後述する発光部品７２から照射された光によって発光演出を行ない得るようになっている。
【００２６】
前記側部装飾部材６２における不透明な部品としての前記球通過検出スイッチ４０で前側から略隠れる位置には、図４または図７に示す如く、前後方向に貫通する貫通孔６６ａが、前後方向に延在する通路画成部材６６によって形成されている。また通路画成部材６６の内面には、前後方向に延在する複数のリブ６８が所定間隔離間して形成されて、該リブ６８と通路画成部材６６とにより前後に貫通する貫通路７０が画成され、該貫通路７０に、前記球通過検出スイッチ４０から裏側に延出する配線４０ａが前側から裏側へ挿通されるよう構成される。前記リブ６８は、図６に示す如く、通路画成部材６６における左内面と、上内面とに夫々複数並列に形成されると共に、各リブ６８の突出端縁部は、前側から裏側に向かうにつれて内方に延出するよう傾斜している。すなわち、リブ６８の突出端縁部と通路画成部材６６の内面とで画成される貫通路７０は、側部装飾部材６２の裏面側に向けて経路が小さくなるテーパー状に形成される(図７参照)。図６に示す如く、貫通路７０における前面側の開口広さをＳ１、貫通路７０における裏面側の開口広さをＳ２とした場合に、Ｓ１＞Ｓ２の関係となる。なお、貫通路７０における前面側の開口広さＳ１は、前記球通過検出スイッチ４０の外形と同等か僅かに大きく設定されて、該球通過検出スイッチ４０によって貫通路７０が略隠れるようになっている(図４参照)。また、貫通路７０における裏面側の開口広さＳ２は、前記配線４０ａおよび該配線４０ａの先端に配設されるコネクタ４０ｂ(図３参照)の挿通を許容する大きさに設定される。
【００２７】
(側部基板部材について)
前記側部基板部材６４は、左枠部５０の上下方向の略全長に亘って延在するよう配設されると共に、該側部基板部材６４の前面に前記側部装飾部材６２の後端が接触する状態で配設されている。この側部基板部材６４は、図７に示す如く、前面にＬＥＤやランプ等の発光部品７２を複数配設した基板７４と、該基板７４の前面を覆うように配設された光透過性および光拡散性を有する基板カバー７６とから基本的に構成される。そして、前記発光部品７２から照射される光は、基板カバー７６を通して前記側部装飾部材６２を裏側から照明するよう構成されている。
【００２８】
前記側部基板部材６４における側部装飾部材６２の貫通路７０と前後に整合する位置に(図４参照)、該貫通路７０から通出する前記配線４０ａが挿通可能な挿通路６４ａが、前面から裏面までに亘り形成されている。この挿通路６４ａは、前記裏セット盤１４の左枠部５０における通孔部５４と前後に整合し、挿通路６４ａから通出する前記配線４０ａが通孔部５４を介して裏セット盤１４の裏側に通出されるようになっている。実施例の挿通路６４ａは、前記可視表示部４４ａ側に開口するよう形成されて、該開口部は、図５または図７に示す如く、前記裏セット盤１４における対応する左枠部５０に形成された内壁部５０ｂ(右枠部５２に配設される側部基板部材６４の場合は右枠部５２の内壁部)で覆われるようになっている。また、側部基板部材６４における挿通路６４ａを画成する壁面は、該挿通路６４ａが、側部基板部材６４の裏面側に向けて経路が小さくなるテーパー形状となるよう傾斜している。実施例では、図６に示す如く、挿通路６４ａを画成する左側壁と上壁が、前面から裏面に向かうにつれて内方に向けて傾斜するよう形成してある。なお、挿通路６４ａにおける裏面側の開口広さＳ４は、前記配線４０ａおよびコネクタ４０ｂの挿通を許容する大きさに設定される。
【００２９】
前記側部装飾部材６２の貫通路７０における裏面側の開口縁は、図４に示す如く、前記側部基板部材６４の挿通路６４ａにおける前面側の開口縁の一部と整合するように位置している。すなわち、実施例では、貫通路７０の裏面側の開口縁における左縁および上下の縁が、挿通路６４ａの前面側の開口縁における左縁および上下の縁に夫々整合している。また貫通路７０の裏面側の開口縁における右縁は、挿通路６４ａの前面側の開口縁における右縁(実施例では左枠部５０の内壁部５０ｂ)より内側に臨むよう設定されて、貫通路７０に前側から挿入された配線４０ａやコネクタ４０ｂが、挿通路６４ａの前面側の開口縁に引掛かることなくスムーズに該挿通路６４ａに挿入されるよう構成してある。更に言えば、図６に示す如く、貫通路７０における裏面側の開口広さＳ２は、挿通路６４ａにおける側部基板部材６４と内壁部５０ｂとで画成される前面側の開口広さをＳ３とした場合に、該Ｓ３よりＳ２が小さく設定される(Ｓ２≦Ｓ３の関係となるよう設定される)。また、挿通路６４ａにおける側部基板部材６４と内壁部５０ｂとで画成される裏面側の開口広さＳ４と前記Ｓ３とは、Ｓ３＞Ｓ４の関係となっている。そして、貫通路７０および挿通路６４ａの全体の関係は、Ｓ１＞Ｓ２≦Ｓ３＞Ｓ４に設定してある。
【００３０】
(下部装飾部材および下部基板部材について)
前記裏セット盤１４における下枠部４８には、図２に示す如く、各側部装飾部材６２に連続するように位置する一対の下部装飾部材７８,７８が左右に離間して配設されている。各下部装飾部材７８の基本的な構成は側部装飾部材６２と同じであって、下枠部４８に配設されて下部装飾部材７８の裏側に位置する図示しない下部基板部材の前側を覆って、遊技盤１０の前面側からは、前記透明板１２を介して下部装飾部材７８のみが視認し得るよう構成される。下部基板部材の基本的な構成は、前記側部基板部材６４と同じであって、発光部品から下部装飾部材７８に向けて光を照射して発光演出を行ない得るようになっている。
【００３１】
前記各下部装飾部材７８は、前記透明板１２の前面に配設した対応する側の電飾装置２６の裏側に臨んでおり、該下部装飾部材７８における電飾装置２６の装飾部品２６ａで隠れる位置に、前後に貫通する通孔７８ａが形成されている。また、下部装飾部材７８の通孔７８ａの裏側に臨む下部基板部材の対応位置に、前後に貫通する通孔が形成されており、電飾装置２６の基板から裏側に延出する配線は、両通孔７８ａを介して裏セット盤１４の裏側に引出されて、前記制御装置に接続されるよう構成される。
【００３２】
〔実施例の作用〕
次に、前述した実施例に係るパチンコ機の作用につき説明する。
【００３３】
前記透明板１２を裏セット盤１４に配設する際には、該透明板１２に配設したセンター役物２０に配設した球通過検出スイッチ４０の後端から導出する配線４０ａおよびコネクタ４０ｂを、前記側部装飾部材６２の貫通路７０に前側から挿入する。貫通路７０は、前側から裏側に向けて経路が小さくなるテーパー形状に形成されているから、該貫通路７０への配線４０ａおよびコネクタ４０ｂの挿入は容易であり、また配線４０ａおよびコネクタ４０ｂは裏側に向けて円滑に案内される。そして、配線４０ａおよびコネクタ４０ｂは、貫通路７０から前記側部基板部材６４の挿通路６４ａに挿入されて、該挿通路６４ａに案内されて裏セット盤１４の通孔部５４から裏側に通出される。前述したように、貫通路７０における裏面側の開口縁は、挿通路６４ａにおける前面側の開口縁の一部に整合すると共に、残りの部分は内側に位置しているから(図４参照)、配線４０ａおよびコネクタ４０ｂが貫通路７０から挿通路６４ａに通入する際に、該配線４０ａおよびコネクタ４０ｂが挿通路６４ａの開口縁に引掛かることなくスムーズに通入される。
【００３４】
そして、前記裏セット盤１４の裏側に引出された配線４０ａは、図３に示す如く、前記複数の配線ホルダ６０に掛止しつつ前記基板設置部５８まで取り回された後に、該基板設置部５８に配設されている中継基板５６にコネクタ４０ｂを介して接続される。前記挿通路６４ａは、前側から裏側に向けて経路が小さくなるテーパー形状に形成されているから、該挿通路６４ａから通孔部５４を介して裏セット盤１４の裏側に通出する配線４０ａの位置は略一定となる。すなわち、裏セット盤１４に配設されている前記配線ホルダ６０と、通孔部５４から裏側に通出する配線４０ａとの位置関係は一定となるから、該配線ホルダ６０に配線４０ａを引掛ける作業が容易となる。例えば、挿通路６４ａの経路の広さが前端から後端まで一定である場合(Ｓ３＝Ｓ４)は、裏セット盤１４の裏側に通出された配線４０ａの位置が定まらず、定位置の配線ホルダ６０に該配線４０ａを引掛ける作業が煩わしくなる。
【００３５】
前記裏セット盤１４に透明板１２を配設した遊技盤１０は、図示しない中枠に装着してパチンコ機を構成した場合、前側から見て前記球通過検出スイッチ４０の略真後で、該検出スイッチ４０で隠れた位置に前記貫通路７０が位置しているから、該貫通路７０は遊技者からは見え難い。すなわち、球通過検出スイッチ４０から裏側に延出して貫通路７０に挿入されている配線４０ａについても、該球通過検出スイッチ４０で隠れるから、遊技者側から配線４０ａが視認されることで見栄えが低下するのを防止し得る。また、前記センター役物２０のゲート部２０ｂの前面には装飾シール４２が貼着されているので、該装飾シール４２によって球通過検出スイッチ４０自体も遊技者側から視認され難く、見栄えが低下することはない。
【００３６】
前述したように、前記貫通路７０は前側から裏側に向けて経路が小さくなるテーパー形状に形成されているから、該貫通路７０を介して裏側が視認される領域は小さく、遊技盤１０の意匠性が低下するのを抑制し得る。
【００３７】
なお、前記透明板１２の前面に配設した電飾装置２６の裏面から導出する配線は、前記下部装飾部材７８における前記装飾部品２６ａで隠れる位置に設けた通孔７８ａを介して裏セット盤１４の裏側に通出されている。従って、該配線および通孔７８ａも、装飾部品２６ａで隠れて前側から視認され難く、意匠性が低下するのは抑えられる。
【００３８】
(変更例)
本願は前述した実施例の構成に限定されるものではなく、その他の構成を適宜に採用することができる。
(1) 実施例において、側部装飾部材を半透明な材料から形成し、該装飾部材を側部基板部材の発光部品により裏側から照明して発光演出が可能な構成で説明したが、該側部装飾部材を不透明な材料から形成してもよい。この場合は、側部基板部材を省略して、透明板に配設した球通過検出スイッチ(電気部品)から裏側に延出する配線を、側部装飾部材に形成した貫通路を介して遊技盤の裏面に引出すよう構成すればよい。
(2) 実施例では、側部基板部材に形成した挿通路は、一側方が開口する形状としたが、前後方向に貫通する孔としてもよい。
(3) 実施例では、側部装飾部材の貫通路における裏面側の開口縁が、側部基板部材の挿通路における前面側の開口縁の一部と整合し、一部が内側に位置する場合で説明したが、貫通路における裏面側の開口縁と、側部基板部材の挿通路における前面側の開口縁との全周が整合する構成、または貫通路における裏面側の開口縁の全周が、側部基板部材の挿通路における前面側の開口縁より内側に位置する構成を採用し得る。
(4) 実施例では、球通過検出スイッチ(電気部品)で隠れる位置に貫通路を設けたが、該貫通路を設ける位置は、透明板に配設される不透明な部品で隠れる位置であればよく、該不透明な部品としては、電気部品に限定らず透明板に配設される発光装置や装飾体等、その他のものでもよい。例えば、電気部品に隣接して不透明な部品を透明板に配設し、電気部品から裏側に延出する配線を、装飾部材の不透明な部品で隠れる位置に形成された貫通路に挿通する構成を採用することができ、この場合も配線は電気部品自体および不透明な部品で隠れて前側から視認し得ない状態で貫通路に挿通される。
(5) 実施例では、電気部品として球通過検出スイッチを挙げたが、電気部品としてはこれに限定されるものではなく、透明板における遊技領域に配設される発光装置や電動式可動体等、裏側から配線が延出するものであればその他のものであってもよい。
(6) 実施例では、側部装飾部材の貫通孔を画成する通路画成部材の内面にリブを形成することで貫通路をテーパー形状としたが、通路画成部材自体を、前側から裏側に向かうにつれて縮径するよう形成することで貫通路(貫通孔)をテーパー形状としてもよい。
(7) 実施例では、装飾部材として裏セット盤の左右の側方に配置した側部装飾部材を挙げたが、装飾部材の配設位置はその他の部位であってもよい。
(8) 実施例では、装飾部材として裏セット盤に固定配置したものの場合で説明したが、適宜の駆動手段によって所要の動作(装飾演出)を行なう可動体を装飾部材としてもよく、この場合は、可動体に形成した貫通路に挿通される配線に影響を与えない範囲で可動体の動作領域を設定すればよい。そして、この可動体の裏側に、該可動体の装飾演出を制御する基板を備えた基板部材を配設し、この基板部材に挿通路を形成する構成を採用できる。
(9) 遊技機としては、パチンコ機に限られるものではなく、アレンジボール機やスロットマシン、あるいはパチンコ球を用いたスロットマシン等、その他各種の遊技機であってもよい。
【図面の簡単な説明】
【００３９】
【図１】本発明の好適な実施例に係るパチンコ機の遊技盤を示す正面図である。
【図２】実施例に係る装飾部材を配設した状態の裏セット盤を示す正面図である。
【図３】実施例に係る裏セット盤の背面図である。
【図４】実施例に係る装飾部材が配設されている裏セット盤の要部正面図である。
【図５】実施例に係る裏セット盤の要部背面図である。
【図６】実施例に係る側部装飾部材および側部基板部材の要部正面図である。
【図７】図４のＡ−Ａ線断面図である。
【符号の説明】
【００４０】
１０  遊技盤
１２  透明板
１２ａ  遊技領域
１４  裏セット盤
４０  球通過検出スイッチ(電気部品,不透明な部品)
６２  側部装飾部材(装飾部材)
６４  側部基板部材(基板部材)
６４ａ  挿通路
７０  貫通路
７４  基板
７６  基板カバー
【図１】
2010017358.tif 000003
【図２】
2010017358.tif 000004
【図３】
2010017358.tif 000005
【図４】
2010017358.tif 000006
【図５】
2010017358.tif 000007
【図６】
2010017358.tif 000008
【図７】
2010017358.tif 000009